(57)【要約】    【課題】  入力内容を容易に訂正できる多機能操作装置および車両用ナビゲーション装置を提供する。    【解決手段】  電話番号を６桁目まで入力した後に、３桁目の入力に誤りを発見して、３桁目の数字を６から５に訂正する場合、８方向スイッチ２２２ｃ，２２２ｇ、または、ダイヤルスイッチ２２３によって左移動スイッチ１５４を選択された後、決定スイッチ２２１が押圧されると、最後に入力した数字である６桁目の５の下部にカーソル１３２が移動する。順次左移動スイッチ１５４の選択と決定が繰り返されるとカーソル１３２は、入力内容表示欄１３１に入力された数字の下部を順次左側に移動して３桁目の数字である６の下部に移動する。ここで、５の数字入力キー１４５が選択された後、決定スイッチ２２１が押圧されると、入力内容表示欄１３１に入力されている３桁目の数字が６から５に置き換えられて訂正される。【選択図】      図１４
2006031094.tif 000002
【特許請求の範囲】
【請求項１】
入力内容が同一階層内に複数入力されて保持されることが可能な第１の階層を含めて、少なくとも上位および下位の２つの階層に含まれる選択項目のいずれか一つを、１つの操作部材の回転操作によって選択する選択手段と、
操作部が操作されると前記選択手段で選択された前記選択項目を入力内容として決定する決定手段と、
前記選択手段で選択されて前記決定手段で決定されると、前記選択項目の一つとして当該選択項目に割り当てられている機能にしたがって、前記第１の階層で保持されている複数の入力内容の任意の一つを訂正対象として指定する指定手段と、
前記指定手段によって訂正対象として指定された入力内容を、その指定の後に前記選択手段で選択されて前記決定手段で決定された前記選択項目と置き換える置換手段とを備えることを特徴とする多機能操作装置。
【請求項２】
請求項１に記載の多機能操作装置において、
前記置換手段は、前記指定手段による指定の後に前記選択手段で選択された特定の選択項目が前記決定手段で決定されると、前記指定手段で指定されている入力内容を削除することを特徴とする多機能操作装置。
【請求項３】
請求項１または請求項２に記載の多機能操作装置において、
前記選択手段の操作部材と前記決定手段の操作部とは、一体的に形成されていることを特徴とする多機能操作装置。
【請求項４】
請求項１〜３のいずれかの項に記載の多機能操作装置において、
前記第１の階層に含まれる選択項目には、少なくとも数字、５０音、アルファベットのうちのいずれか１つが含まれていることを特徴とする多機能操作装置。
【請求項５】
請求項４に記載の多機能操作装置において、
前記第１の階層における入力内容は、電話番号、または施設の名称であることを特徴とする多機能操作装置。
【請求項６】
請求項１〜５のいずれかの項に記載の多機能操作装置を備えることを特徴とする車両用ナビゲーション装置。
【請求項７】
請求項１〜５のいずれかの項に記載の多機能操作装置を備え、前記多機能操作装置によって経路誘導のための目的地を設定することを特徴とする車両用ナビゲーション装置。
【発明の詳細な説明】
【技術分野】
【０００１】
本発明は、操作部材の回転操作による選択項目の選択機能を有する多機能操作装置、および、この多機能操作装置を備えた車両用ナビゲーション装置に関する。
【背景技術】
【０００２】
ロータリースイッチを回転させて、ディスプレイ上の入力文字の候補にカーソルを合わせ、確定操作を行うことで任意の文字などを入力できる多機能操作装置が知られている。この多機能操作装置では、入力された文字に入力間違いがあった場合、ロータリースイッチを回転させて、ディスプレイ上のカーソルを訂正機能に該当する位置に合わせた後、確定操作を行うことで、間違って入力された文字を削除することができる（特許文献１参照）。
【０００３】
【特許文献１】特開平２−１８７８１４号公報
【発明の開示】
【発明が解決しようとする課題】
【０００４】
しかし、従来の多機能操作装置では、入力されている文字のうち、最後に入力された文字が削除可能な状態となる。このため、たとえば８桁目まで入力した電話番号の４桁目を訂正するためには、訂正の必要がない５桁目から８桁目を削除してからでないと４桁目の文字の削除と再入力による訂正ができず、４桁目を訂正した後、再び５桁目から８桁目を入力し直さなければならず、不便である。
【課題を解決するための手段】
【０００５】
（１）  請求項１の発明による多機能操作装置は、少なくとも上位および下位の２つの階層に含まれる選択項目のいずれか一つを、１つの操作部材の回転操作によって選択する選択手段と、選択手段で選択された選択項目を入力内容として決定する決定手段と、決定手段で決定されると、選択項目の一つとして当該選択項目に割り当てられている機能にしたがって複数の入力内容の任意の一つを訂正対象として指定する指定手段と、指定手段によって訂正対象として指定された入力内容を、その指定の後に選択手段で選択されて決定手段で決定された選択項目と置き換える置換手段とを備えることを特徴とする。
（２）  請求項６の発明による車両用ナビゲーション装置は、請求項１〜５のいずれかの項に記載の多機能操作装置を備えることを特徴とする。
（３）  請求項７の発明による車両用ナビゲーション装置は、請求項１〜５のいずれかの項に記載の多機能操作装置を備え、この多機能操作装置によって経路誘導のための目的地を設定することを特徴とする。
【発明の効果】
【０００６】
本発明によれば、すでに入力されている入力内容に関して、指定手段で指定された入力内容を、その指定の後に選択手段で選択されて決定手段で決定された選択項目と置き換えるように構成した。これにより、すでに入力された正しい入力内容を削除することなく、任意の位置の入力内容だけを訂正することができるので、多機能操作装置および車両用ナビゲーション装置の操作性や利便性を向上できる。
【発明を実施するための最良の形態】
【０００７】
図１〜２０を参照して、本発明による多機能操作装置を車両のナビゲーション装置に適用した一実施の形態を説明する。図１は、本実施の形態のナビゲーション装置を搭載した車両のインストルメントパネル部を示す斜視図である。インストルメントパネル１０の内部には、ナビゲーション装置のコントロールユニット３０と、ＧＰＳアンテナ３１とが設けられている。インストルメントパネル１０のセンターコンソール１１には、上方から順に、表示モニタ１００と、ナビ・空調操作部２００と、オーディオ操作部３００とが設けられている。なお、車両には、車載のオーディオ・ビジュアル機器、ナビゲーション装置などからの音声を出力するスピーカ（不図示）が備えられている。
【０００８】
コントロールユニット３０は、現在地検出装置や入力スイッチ、表示モニタ１００などのようなセンサや入出力装置を除いたナビゲーション装置の主たる構成要素が設けられた装置であり、ナビゲーション装置全体を制御する制御回路や、ナビゲーション装置として必要な各種のデータを格納する地図記憶部などを備えている。地図表示用データやルート探索用データ、施設名称、住所、電話番号などを含む、ナビゲーション装置として必要な各種のデータは、ＤＶＤ−ＲＯＭやハードディスクなどの記録媒体に記録されており、これら記憶媒体のドライブ装置によって読み取られて地図記憶部に格納される。
【０００９】
コントロールユニット３０には、現在地検出装置であるＧＰＳアンテナ３１や、不図示の方位センサ、ジャイロセンサ、車速センサなどが接続されている。またコントロールユニット３０には、入力装置であるナビ・空調操作部２００の各操作スイッチと、出力装置である表示モニタ１００およびスピーカと、交通情報センターなど外部から配信される渋滞情報などの各種交通情報を受信する受信装置（不図示）とが接続されている。
【００１０】
表示モニタ１００は、ナビゲーション装置のモニタ装置としての機能の他にも、受信したテレビ画像、オーディオ装置の動作状態、空調装置の動作状態、車両の給油時期やオイル交換時期などのメンテナンス情報など、車両および車載機器の各種の情報を表示するモニタ装置としての機能を有する。ナビ・空調操作部２００は、ナビゲーション装置および空調装置の操作を行うための入力装置である。ナビ・空調操作部２００については後述する。なお、オーディオ操作部３００は、テレビ、ラジオ、ＣＤプレーヤ、ＭＤプレーヤなど、各オーディオ・ビジュアル機器の操作を行うための操作装置である。
【００１１】
このように構成されるナビゲーション装置は、現在地検出装置により取得した自車位置情報および地図記憶部に格納されている地図情報に基づき各種のナビゲーションを行う。たとえば、自車位置近辺の道路地図および自車位置を表示モニタ１００に表示し、経路探索によって得られた経路に沿ってドライバーを誘導する。ナビゲーション装置は、受信装置で受信した各種交通情報を経路探索の際の条件として利用する。
【００１２】
図２は、ナビ・空調操作部２００およびオーディオ操作部３００のそれぞれの拡大図を並べて記載した図である。ナビ・空調操作部２００は、ナビゲーション装置の操作部と空調装置の操作部とが一カ所にまとめられた操作部であり、上部に空調装置の操作部２１０が配設され、下部にナビゲーション装置の操作部２２０が配設されている。空調装置の操作部２１０は、車両用空調装置の周知の操作スイッチ群であるので、詳細な説明は省略する。
【００１３】
ナビゲーション装置の操作部２２０は、決定スイッチ２２１と、８方向スイッチ２２２ａ〜２２２ｈと、ダイヤルスイッチ２２３と、機能選択スイッチ２３１〜２３９とを備えている。機能選択スイッチ２３１〜２３３の右側には、表示モニタ１００に表示された地図の縮尺の切り替えなどを行う操作スイッチ２４１〜２４３が設けられている。機能選択スイッチ２３４〜２３６の左側には、表示モニタ１００の表示内容や、各オーディオ・ビジュアル機器からの入力メディアを切り替える入力切替スイッチ２４４〜２４６が設けられている。
【００１４】
決定スイッチ２２１は、操作部２２０の略中央に設けられて、操作部２２０の表面に対して略垂直方向に押圧操作が可能な操作部２２１ａを有する押圧スイッチであり、操作部２２０の表面から突出して設けられている。決定スイッチ２２１は、８方向スイッチ２２２ａ〜２２２ｈやダイヤルスイッチ２２３などで選択された選択項目を入力内容として決定するためのスイッチである。すなわち、決定スイッチ２２１は、８方向スイッチ２２２ａ〜２２２ｈやダイヤルスイッチ２２３などで選択された各機能の実行や、選択内容の決定を指示するためのスイッチである。決定スイッチ２２１は、押圧されるとＯＮの信号を出力し、押圧される力が除去されると、内蔵するバネなどの弾性体の反発力で復帰してＯＦＦの信号を出力する。
【００１５】
８方向スイッチ２２２ａ〜２２２ｈは、決定スイッチ２２１の外周に沿って４５度ごとの放射状に配設された押圧スイッチである。８方向スイッチ２２２ａ〜２２２ｈが押圧されると、押圧されたいずれかのスイッチ２２２ａ〜２２２ｈの配設角度位置に対応するように、表示モニタ１００に表示された複数の選択項目の中から任意の１つを選択できる。８方向スイッチ２２２ａ〜２２２ｈの選択機能については後述する。
【００１６】
ダイヤルスイッチ２２３は、８方向スイッチ２２２ａ〜２２２ｈの外周に設けられ、操作部２２０の表面に対して略垂直な回転軸を有し、操作部２２０の表面から突出したリング状の操作部２２３ａを有する回動可能なスイッチである。ダイヤルスイッチ２２３は、所定の回転角度ごとに係止位置を有し、係止位置前後の回転抵抗力の変化によりクリック感が得られるように構成されたスイッチである。ダイヤルスイッチ２２３には左右方向の旋回量に制限はなく、またセンター位置のような基準となる位置もない。ダイヤルスイッチ２２３からは、回動操作前後における左右の回転方向と回転量だけが出力される。
【００１７】
ダイヤルスイッチ２２３は、その回転方向および回転量に応じて表示モニタ１００に表示された複数の選択項目の中から任意の１つを選択できる。なお、ダイヤルスイッチ２２３の回転軸と、決定スイッチ２２１の可動方向の軸とは略一致する。ダイヤルスイッチ２２３の選択機能については後述する。
【００１８】
機能選択スイッチ２３１〜２３９は、ナビゲーション装置の代表的な機能や使用頻度の高い機能を選択するスイッチであり、目的地の設定モードに移行するための目的地スイッチ２３１と、車両の現在位置を表示モニタ１００に表示させるための現在位置スイッチ２３２と、その他各種の機能を選択するスイッチ２３３〜２３９とを備えている。機能選択スイッチ２３１〜２３３はダイヤルスイッチ２２３より右側に配設され、機能選択スイッチ２３４〜２３６はダイヤルスイッチ２２３より左側に配設されている。機能選択スイッチ２３７〜２３９は、ダイヤルスイッチ２２３を中心としてダイヤルスイッチ２２３の外周近傍に放射状に配設されている。
【００１９】
ナビ・空調操作部２００の下方に設けられたオーディオ操作部３００は、受信するテレビ放送およびラジオ放送の周波数調節や音量調節等を行う周知の操作スイッチ群であるので、詳細な説明は省略する。その他、図示はしないが、ステアリングホイール２０やインストルメントパネル１０のメータ周囲にも、上述した各操作スイッチの一部の機能を有するスイッチ群が別途設けられている。
【００２０】
−−−選択項目の入力−−−
本実施の形態のナビゲーション装置では、ナビゲーション装置の操作部２２０に設けられた決定スイッチ２２１と、８方向スイッチ２２２ａ〜２２２ｈと、ダイヤルスイッチ２２３とによって、以下に説明するように、複数の選択項目の中から任意の選択項目を選択し、選択した項目を入力内容として決定できる。以下、ナビゲーション機能における目的地の設定を例に説明する。
【００２１】
図３〜１９は、操作部２２０の各スイッチの操作によって遷移する表示モニタ１００の画面と、ナビ・空調操作部２００とを併記した図である。図３に示した表示モニタ１００には、車両の現在位置付近の地図１０１が自車位置マーク１０２とともに表示され、すでに演算された経路探索結果に基づく推奨経路１０３が地図１０１に重畳して強調表示されている。たとえば、図３に示すような車両の経路誘導中や、経路誘導によらない走行の場合などに目的地スイッチ２３１が押圧されると、目的地の設定のためのモード（目的地設定モード）に移行する。
【００２２】
図４に示すように、ナビゲーション装置は、「目的地設定モード」に移行すると、目的地設定メニュー１１０を表示モニタ１００の画面左側に表示する。目的地設定メニュー１１０では、選択項目として自宅メニュースイッチ１１１と、登録地メニュースイッチ１１２と、周辺施設メニュースイッチ１１３と、ジャンルメニュースイッチ１１４と、その他メニュースイッチ１１５とが表示される。
【００２３】
自宅メニュースイッチ１１１は、自宅を目的地に設定するためのメニュースイッチである。登録地メニュースイッチ１１２は、あらかじめ登録されている地点（登録地）を目的地に設定するためのメニュースイッチである。周辺施設メニュースイッチ１１３は、現在位置または、地図のスクロール先周辺にある施設を目的地に設定するためのメニュースイッチである。ジャンルメニュースイッチ１１４は、施設名をジャンルから検索して目的地に設定するためのメニュースイッチでる。その他メニュースイッチ１１５は、施設名称の５０音や、住所、電話番号などから目的地を設定するためのメニュースイッチである。
【００２４】
各メニュースイッチ１１１〜１１５は、８方向スイッチ２２２ａ〜２２２ｈおよびダイヤルスイッチ２２３で選択可能に構成されている。図３に示した状態などから目的地スイッチ２３１が押圧されて目的地設定モードに移行した直後は、表示モニタ１００に表示された目的地設定メニュー１１０のうち、上端に表示されている自宅メニュースイッチ１１１が選択された状態（選択状態）となる（図４）。選択状態となったメニュースイッチは、選択状態でないメニュースイッチよりも明るく表示されるハイライト表示など、選択されたことがユーザに分かるように強調表示される。
【００２５】
ここで、下方を指示する８方向スイッチ２２２ｅが押圧されるごとに、もしくは、ダイヤルスイッチ２２３が所定回転量（１クリック）右旋されるごとに、選択状態となるメニュースイッチは順次下方へ移行する。逆に、上方を指示する８方向スイッチ２２２ａが押圧されるごとに、もしくは、ダイヤルスイッチ２２３が所定回転量左旋されるごとに、選択状態となるメニュースイッチは順次上方へ移行する。
【００２６】
図５に示すように、たとえば、その他メニュースイッチ１１５が選択状態とされると、その他メニュースイッチ１１５の下位の選択項目である各メニュースイッチの項目が表示モニタ１００の画面右側に表示される。この状態で決定スイッチ２２１が押圧されると、「目的地設定モード」の下位のモードである「その他の方法による目的地設定モード」に移行する。図６に示すように、ナビゲーション装置は、「その他の方法による目的地設定モード」に移行すると、その他の方法による目的地設定メニュー１２０を表示モニタ１００に表示する。目的地設定メニュー１２０では、選択項目として５０音メニュースイッチ１２１と、住所メニュースイッチ１２２と、電話番号メニュースイッチ１２３と、郵便番号メニュースイッチ１２４と、最近の行き先メニュースイッチ１２５とが表示される。
【００２７】
５０音メニュースイッチ１２１は、かな（５０音）やアルファベットなどで入力された施設名を検索して目的地に設定するためのメニュースイッチである。住所メニュースイッチ１２２は、入力された住所の周辺地図を表示させて目的地に設定するためのメニュースイッチである。電話番号メニュースイッチ１２３は、入力された電話番号に該当する施設、または登録地を目的地に設定するためのメニュースイッチである。郵便番号メニュースイッチ１２４は、入力された郵便番号所に該当する地域の周辺地図を表示させて目的地に設定するためのメニュースイッチである。最近の行き先メニュースイッチ１２５は、以前設定した目的地を再び目的地として設定するためのメニュースイッチである。
【００２８】
各メニュースイッチ１２１〜１２５は、上述した「目的地設定モード」における各メニュースイッチ１１１〜１１５と同様に、８方向スイッチ２２２ａ〜２２２ｈおよびダイヤルスイッチ２２３で選択可能に構成されている。図５に示した状態から決定スイッチ２２１が押圧されて「その他の方法による目的地設定モード」に移行した直後は、表示モニタ１００に表示されたその他の方法による目的地設定メニュー１２０のうち、上端に表示されている５０音メニュースイッチ１２１が選択状態となる（図６）。
【００２９】
図７に示すように、電話番号メニュースイッチ１２３が選択された後、決定スイッチ２２１が押圧されると、「その他の方法による目的地設定モード」の下位のモードである「電話番号入力モード」に移行する。図８に示すように、ナビゲーション装置は、「電話番号入力モード」に移行すると、電話番号入力画面１３０を表示モニタ１００に表示する。電話番号入力画面１３０には、入力内容表示欄１３１と、数字入力キー１４０〜１４９と、記号入力キー１５１，１５２と、スペースキー１５３と、左移動スイッチ１５４と、右移動スイッチ１５５と、検索スイッチ１５６とが表示される。
【００３０】
入力内容表示欄１３１は、数字入力キー１４０〜１４９や記号入力キー１５１，１５２によって入力された電話番号を表示する欄であり、数字や記号が入力される位置には、その位置を示すためのカーソル１３２が表示される。各キー１４０〜１５３および各スイッチ１５４〜１５６は、８方向スイッチ２２２ａ〜２２２ｈまたはダイヤルスイッチ２２３によって選択され、決定スイッチ２２１によって入力が決定され、または、各機能が実行される選択項目である。
【００３１】
数字入力キー１４０〜１４９および記号入力キー１５１，１５２は、０から９までの数字、アスタリスク（＊）およびシャープ（＃）を入力するためのスイッチである。スペースキー１５３は、スペースの入力と、入力内容の削除とを行うスイッチである。スペースキー１５３による入力内容の削除については後述する。
【００３２】
左移動スイッチ１５４および右移動スイッチ１５５は、入力内容の訂正を行う際に、訂正や削除の対象となる入力済みの数字もしくは記号を指定（特定）する機能が割り当てられたスイッチである。左移動スイッチ１５４および右移動スイッチ１５５による入力済みの数字もしくは記号の特定方法については後述する。検索スイッチ１５６は、入力された電話番号に該当する施設、または登録地を検索するためのスイッチである。
【００３３】
図８に示すように、ナビゲーション装置は、「電話番号入力モード」に移行した直後では、電話番号入力画面１３０が表示モニタ１００に表示されるとともに、０の数字入力キー１４０が選択状態となって強調表示される。右方を指示する８方向スイッチ２２２ｃが押圧されるごとに、もしくは、ダイヤルスイッチ２２３が所定回転量右旋されるごとに、選択状態となる数字入力キーは順次右側へ移行する。数字入力キーのうち、一番右側に配設された９の数字入力キー１４９が選択状態となった後、さらに８方向スイッチ２２２ｃが押圧されるか、ダイヤルスイッチ２２３が所定回転量右旋されると、数字入力キーの下段左端の記号入力キー１５１が選択状態となる。
【００３４】
記号入力キー１５１が選択状態となった後、右方を指示する８方向スイッチ２２２ｃが押圧されるごとに、もしくは、ダイヤルスイッチ２２３が所定回転量右旋されるごとに、選択状態となる記号入力キーおよびスイッチは順次右側へ移行する。一番右側に配設された検索スイッチ１５６が選択状態となった後、さらに８方向スイッチ２２２ｃが押圧されるか、ダイヤルスイッチ２２３が所定回転量右旋されると、上段の数字入力キーの左端の０の数字入力キー１４０が再び選択状態となる。
【００３５】
このように、右方を指示する８方向スイッチ２２２ｃが押圧されるごとに、もしくは、ダイヤルスイッチ２２３が所定回転量右旋されるごとに、キーもしくはスイッチの選択状態は上述のように順次移行する。また、左方を指示する８方向スイッチ２２２ｃ，２２２ｇが押圧されるごとに、もしくは、ダイヤルスイッチ２２３が所定回転量左旋されるごとに、キーもしくはスイッチの選択状態とは上述とは逆方向に順次移行する。
【００３６】
たとえば電話番号として「０４６２７５△△△△」を入力する場合、最初の一桁目の０を入力するために、０の数字入力キー１４０を８方向スイッチ２２２ｃ，２２２ｇまたはダイヤルスイッチ２１３で選択して決定スイッチ２２１で決定する。これにより、図９に示すように、入力内容表示欄１３１には０が入力され、カーソル１３２が入力された０の右側に移動する。以下の説明では、８方向スイッチ２２２ａ〜２２２ｈまたはダイヤルスイッチ２１３による選択項目の選択を、単に「選択」と呼び、選択状態となった選択項目の決定スイッチ２２１による決定を、単に「決定」と呼ぶ。
【００３７】
上述した０の入力操作と同様に、順次各数字入力キーの選択および決定をすることで、図１０，１１に示すように入力された数字が保持されて、電話番号として入力内容表示欄１３１に表示される。すべての桁の入力が終了した後、検索スイッチ１５６の選択および決定をすることで、入力された電話番号による検索が開始される。
【００３８】
−−−入力した電話番号の一部を訂正−−−
入力された電話番号の訂正は、次のように行われる。たとえば、図１０に示すように、電話番号を６桁目まで入力した後に、３桁目の入力に誤りを発見して、３桁目の数字を６から５に訂正する場合、図１２に示すように、左移動スイッチ１５４を選択する。ここで、決定スイッチ２２１が押圧されると、図１３に示すように、最後に入力した数字である６桁目の５の下部にカーソル１３２が移動する。順次左移動スイッチ１５４の選択と決定が繰り返されるとカーソル１３２は、入力内容表示欄１３１に入力された数字の下部を順次左側に移動する。なお、右移動スイッチ１５５が選択および決定されると、カーソル１３２は、入力内容表示欄１３１に入力された数字の下部を右側へ移動する。
【００３９】
左移動スイッチ１５４の選択と決定とが４回繰り返されると、図１４に示すように、カーソル１３２は、入力内容表示欄１３１に入力された３桁目の数字である６の下部に移動する。ここで、図１５に示すように、５の数字入力キー１４５が選択された後、決定スイッチ２２１が押圧されると、図１６に示すように、入力内容表示欄１３１に入力されている３桁目の数字が６から５に置き換えられて訂正される。
【００４０】
−−−入力した電話番号の一部を削除−−−
入力された電話番号の削除は、次のように行われる。たとえば、図１０に示すように、電話番号を６桁目まで入力した後に、４桁目の入力に誤りを発見して、４桁目の数字を削除する場合、上述した訂正の場合と同様に、左移動スイッチ１５４の選択と決定によってカーソル１３２を４桁目の数字である２の下部まで移動させる（図１２，１３，１７）。次に、図１８に示すように、スペースキー１５３を選択する。ここで、決定スイッチ２２１が押圧されると、図１９に示すように、４桁目の数字である２が削除されて、５桁目の数字であった７および６桁目の数字であった５がそれぞれ４桁目および５桁目へ移動する。
【００４１】
なお、詳細な説明は省略するが、本実施の形態のナビゲーション装置は、上述した「その他の方法による目的地設定モード」の下位のモードである「電話番号入力モード」だけではなく、「その他の方法による目的地設定モード」の下位のモードである他のモードにおいても、入力内容の訂正や削除ができるように構成されている。すなわち、電話番号以外にも数字で入力される郵便番号や、文字で入力される施設名や住所などであっても、上述の説明と同様に入力内容の訂正や削除が可能である。
【００４２】
たとえば、図２０に示す、５０音メニュースイッチ１２１の選択と決定によって移行する「５０音入力モード」においても、左移動スイッチ１５４および右移動スイッチ１５５が表示モニタ１００に表示される。上述の説明と同様に「５０音入力モード」で入力される施設名や住所などの文字も、左移動スイッチ１５４および右移動スイッチ１５５を用いることで入力内容の訂正や削除が可能である。なお、「５０音入力モード」においてアルファベットを入力する場合には、アルファベットキー１５７を選択および決定することで、５０音の代わりにアルファベットが選択項目として表示モニタ１００に表示される。同様に、「５０音入力モード」において数字や記号を入力する場合には、数字・記号キー１５８を選択および決定することで、５０音の代わりに数字と記号が選択項目として表示モニタ１００に表示される。
【００４３】
上述したナビゲーション装置では、次の作用効果を奏する。
（１）  ８方向スイッチ２２２ｃ，２２２ｇまたはダイヤルスイッチ２２３によって、左移動スイッチ１５４または右移動スイッチ１５５が選択状態とされた後、決定スイッチ２２１が押圧されると、入力された数字に対してカーソル１３２が各スイッチ１５４，１５５に対応する方向に移動して、カーソル１３２の上部に位置する数字を訂正可能に構成した。これにより、すでに入力された正しい入力内容を削除することなく、任意の位置の入力内容だけを訂正することができる。すなわち、間違って入力された入力内容の後から入力された正しい入力内容の削除や再入力が不要となるので、容易に訂正できる。したがって、使い勝手のよいナビゲーション装置を提供できる。
【００４４】
（２）  カーソル１３２が位置する任意の入力内容の削除をスペースキー１５３で削除できるよう構成した。これにより、すでに入力された正しい入力内容を削除することなく、余計に入力された入力内容だけを削除できるので、訂正も含めた入力操作に要する時間を短縮でき、ナビゲーション装置の操作性が向上できる。
【００４５】
（３）  電話番号や施設名所など、数字、記号、文字などによる入力内容は、入力数が多い。これら電話番号や施設名所などの、すでに入力された正しい入力内容を削除することなく、間違った入力内容が訂正できるので、ナビゲーション装置の利便性が高まる。
（４）  ナビゲーション装置の目的地設定で入力される入力内容の訂正が容易にであるので、入力内容を間違えても即座に訂正できる。これにより、訂正操作も含めた経路探索のための入力操作が容易となり、経路誘導開始までの時間を短縮できる。
【００４６】
（５）  ダイヤルスイッチ２２３の回転軸と、決定スイッチ２２１の可動方向の軸とは略一致するように構成したので、選択項目の選択および決定操作が容易となり、ナビゲーション装置の操作性が向上できる。
【００４７】
−−−変形例−−−
（１）  上述の説明では、決定スイッチ２２１の操作部２２１ａと、ダイヤルスイッチ２２３の操作部２２３ａとは、それぞれ別の部材で構成されているが、本発明はこれに限定されない。たとえば、図２１に示すように、決定スイッチとダイヤルスイッチとが一体的に形成されていてもよい。すなわち、決定スイッチとダイヤルスイッチとが同一の操作部材であってもよい。
【００４８】
図２１に示した操作装置４００では、上述したナビ・空調操作部２００およびオーディオ操作部３００の機能を有する。なお、図２１において、上述したナビ・空調操作部２００と同一の符号を付したものはナビ・空調操作部２００の各部と同一の機能を有する。操作装置４００は、上述した決定スイッチ２２１とダイヤルスイッチ２２３とが一体的に形成されたスイッチと同じ機能を有する指示スイッチ４０１を備えている。８方向スイッチ２２２ａ〜２２２ｈは、指示スイッチ４０１の外周に沿って４５度ごとの放射状に配設されている。
【００４９】
指示スイッチ４０１は、操作装置４００の表面に対して略垂直な回転軸を有し、操作装置４００の表面から突出した略円柱形状の操作部４０１ａを有するスイッチであり、回転軸に対して回動可能、かつ、回転軸方向に押圧可能なスイッチである。指示スイッチ４０１を回動可能とする構造、および回転操作によるスイッチ機能は、上述したダイヤルスイッチ２２３と同一である。指示スイッチ４０１を押圧可能とする構造、および押圧操作によるスイッチ機能は、上述した決定スイッチ２２１と同一である。このように、指示スイッチ４０１は、上述した決定スイッチ２２１とダイヤルスイッチ２２３との機能を同一操作部材で実現できるので、操作性が高い。
【００５０】
（２）  上述の説明では、８方向スイッチ２２２ａ〜２２２ｈが押圧されると、押圧されたいずれかのスイッチ２２２ａ〜２２２ｈの配設角度位置に対応するように、表示モニタ１００に表示された複数の選択項目の中から任意の１つが選択できるように構成されているが、本発明はこれに限定されない。たとえば、いずれかのスイッチ２２２ａ〜２２２ｈが連続的に押圧され続けた場合に、選択項目の選択状態が押圧されたいずれかのスイッチ２２２ａ〜２２２ｈの配設位置に対応する方向へ連続的に移行するように構成してもよい。
【００５１】
（３）  上述の説明では、たとえば、図４に示す「目的地設定モード」において、８方向スイッチ２２２ａ，２２２ｅが押圧されるごとに、もしくは、ダイヤルスイッチ２２３が所定回転量駆動されるごとに、選択状態となるメニュースイッチは順次上方もしくは下方へ移行するよう構成されているが、本発明はこれに限定されない。目的地設定メニュー１１０のように、上下方向に複数配設される選択項目のうち、上端もしくは下端の選択項目が選択状態となった後も、なお上方もしくは下方を指示するように８方向スイッチ２２２ａ，２２２ｅまたはダイヤルスイッチ２２３が操作された場合には、選択項目の選択状態が一端側から他端側へ移行するように構成してもよい。
【００５２】
このように構成すると、たとえば、目的地設定メニュー１１０の上端に配設された自宅メニュースイッチ１１１が選択状態であるときに、８方向スイッチ２２２ａが押圧されるか、ダイヤルスイッチ２２３が所定回転量左旋されると、メニュースイッチの選択状態は、目的地設定メニュー１１０の下端に配設されたその他メニュースイッチ１１５に移行する。さらに８方向スイッチ２２２ａが押圧されるか、ダイヤルスイッチ２２３が所定回転量左旋されると、メニュースイッチの選択状態は、順次上方へ移行する。また、目的地設定メニュー１１０の下端に配設されたその他メニュースイッチ１１５が選択状態であるときに、８方向スイッチ２２２ｅが押圧されるか、ダイヤルスイッチ２２３が所定回転量右旋されると、メニュースイッチの選択状態は、目的地設定メニュー１１０の上端に配設された自宅メニュースイッチ１１１に移行する。これにより、目的地設定メニュー１１０の上端および下端に位置するメニュースイッチ間の選択状態の移行が容易となる。また、８方向スイッチ２２２ａ、または２２２ｅのいずれか一方だけの押圧操作、もしくは、ダイヤルスイッチ２２３の左右いずれか一方向のみの回転操作だけで任意のメニュースイッチが選択可能となる。
【００５３】
（４）  上述の説明では、たとえば、図８に示す「電話番号入力モード」のように、上下２段のそれぞれに複数の選択項目が表示された場合、８方向スイッチ２２２ｃ，２２２ｇが押圧されるごとに、または、ダイヤルスイッチ２２３が所定回転量駆動されるごとに、選択項目の選択状態は順次左側もしくは右側へ移行するよう構成したが、本発明はこれに限定されない。たとえば、任意の選択項目が選択状態にあるときに、８方向スイッチ２２２ａまたは２２２ｅが押圧されるごとに、押圧前に選択状態にある選択項目に最も近い他段の選択項目が選択状態となるように構成してもよい。これにより、少ない操作量で、他段の選択項目が選択可能となる。
【００５４】
（５）  上述の説明では、本発明による多機能操作装置を車両のナビゲーション装置に適用した例について説明したが、本発明はこれに限定されない。車両用ナビゲーション装置に限らず、たとえばＭＤのタイトルが入力できる車載のＭＤデッキなどに本発明を適用してもよい。また、ＭＤデッキのようにオーディオ装置に限らず、文字や数字を入力する車載の情報機器に本発明を適用してもよい。さらに、車載用途以外のオーディオ、ビジュアル機器や情報機器などの操作装置部分、たとえば携帯情報端末の文字入力などの操作部分に本発明を適用してもよい。
（６）  上述した各実施の形態および変形例は、それぞれ組み合わせてもよい。
【００５５】
以上の実施の形態およびその変形例において、たとえば、選択手段はダイヤルスイッチ２２３に、決定手段は決定スイッチ２２１にそれぞれ対応する。指定手段は、選択および決定された左移動スイッチ１５４および右移動スイッチ１５５に対応する。置換手段は、訂正対象となる入力内容の下部に移動されたカーソル１３２と、カーソル１３２を移動させた後に選択および決定される各キー１４０〜１５３とによって実現される。さらに、本発明の特徴的な機能を損なわない限り、本発明は、上述した実施の形態における機器構成に何ら限定されない。
【図面の簡単な説明】
【００５６】
【図１】本実施の形態のナビゲーション装置を搭載した車両のインストルメントパネル部を示す斜視図である。
【図２】ナビ・空調操作部２００およびオーディオ操作部３００のそれぞれの拡大図を並べて記載した図である。
【図３】車両の経路誘導中の表示モニタ１００の画面と、ナビ・空調操作部２００とを併記した図である。
【図４】操作部２２０の各スイッチの操作によって遷移する表示モニタ１００の画面と、ナビ・空調操作部２００とを併記した図である。
【図５】操作部２２０の各スイッチの操作によって遷移する表示モニタ１００の画面と、ナビ・空調操作部２００とを併記した図である。
【図６】操作部２２０の各スイッチの操作によって遷移する表示モニタ１００の画面と、ナビ・空調操作部２００とを併記した図である。
【図７】操作部２２０の各スイッチの操作によって遷移する表示モニタ１００の画面と、ナビ・空調操作部２００とを併記した図である。
【図８】「電話番号入力モード」に移行した直後の表示モニタ１００の画面と、ナビ・空調操作部２００とを併記した図である。
【図９】「電話番号入力モード」において電話番号を入力する際の表示モニタ１００の画面と、ナビ・空調操作部２００とを併記した図である。
【図１０】「電話番号入力モード」において電話番号を入力する際の表示モニタ１００の画面と、ナビ・空調操作部２００とを併記した図である。
【図１１】「電話番号入力モード」において電話番号を入力する際の表示モニタ１００の画面と、ナビ・空調操作部２００とを併記した図である。
【図１２】「電話番号入力モード」において入力した電話番号を訂正する際の表示モニタ１００の画面と、ナビ・空調操作部２００とを併記した図である。
【図１３】「電話番号入力モード」において入力した電話番号を訂正する際の表示モニタ１００の画面と、ナビ・空調操作部２００とを併記した図である。
【図１４】「電話番号入力モード」において入力した電話番号を訂正する際の表示モニタ１００の画面と、ナビ・空調操作部２００とを併記した図である。
【図１５】「電話番号入力モード」において入力した電話番号を訂正する際の表示モニタ１００の画面と、ナビ・空調操作部２００とを併記した図である。
【図１６】「電話番号入力モード」において入力した電話番号を訂正する際の表示モニタ１００の画面と、ナビ・空調操作部２００とを併記した図である。
【図１７】「電話番号入力モード」において入力した電話番号の一部を削除する際の表示モニタ１００の画面と、ナビ・空調操作部２００とを併記した図である。
【図１８】「電話番号入力モード」において入力した電話番号の一部を削除する際の表示モニタ１００の画面と、ナビ・空調操作部２００とを併記した図である。
【図１９】「電話番号入力モード」において入力した電話番号の一部を削除する際の表示モニタ１００の画面と、ナビ・空調操作部２００とを併記した図である。
【図２０】「５０音入力モード」における表示モニタ１００の画面と、ナビ・空調操作部２００とを併記した図である。
【図２１】変形例における操作装置４００を示す図である。
【符号の説明】
【００５７】
１０  インストルメントパネル                ３０  コントロールユニット
１００  表示モニタ                          １１０  目的地設定メニュー
１１１〜１１５  メニュースイッチ            １２０  目的地設定メニュー
１２１〜１２５  メニュースイッチ            １３０  電話番号入力画面
１３１  入力内容表示欄                      １３２  カーソル
１４０〜１４９  数字入力キー                １５１，１５２  記号入力キー
１５３  スペースキー                        １５４  左移動スイッチ
１５５  右移動スイッチ                      １５６  検索スイッチ
２００  ナビ・空調操作部                    ２１０，２２０  操作部
２２１  決定スイッチ                        ２２２ａ〜２２２ｈ  ８方向スイッチ
２２３  ダイヤルスイッチ                    ３００  オーディオ操作部
４００  操作装置
【図１】
2006031094.tif 000003
【図２】
2006031094.tif 000004
【図３】
2006031094.tif 000005
【図４】
2006031094.tif 000006
【図５】
2006031094.tif 000007
【図６】
2006031094.tif 000008
【図７】
2006031094.tif 000009
【図８】
2006031094.tif 000010
【図９】
2006031094.tif 000011
【図１０】
2006031094.tif 000012
【図１１】
2006031094.tif 000013
【図１２】
2006031094.tif 000014
【図１３】
2006031094.tif 000015
【図１４】
2006031094.tif 000016
【図１５】
2006031094.tif 000017
【図１６】
2006031094.tif 000018
【図１７】
2006031094.tif 000019
【図１８】
2006031094.tif 000020
【図１９】
2006031094.tif 000021
【図２０】
2006031094.tif 000022
【図２１】
2006031094.tif 000023